(57)【要約】【課題】照明用の特別な装備を必要とすることなく暗い場所での撮影が可能なカメラ付き携帯機器を提供する。【解決手段】プレビュー画像が暗く照明が必要な場合は、キー入力部５より照明ＯＮ指令を入力し、キー入力制御部１５を介して制御部１２よりカメラ制御部１３に出力画像を縮小するように命令を出し、カメラ制御部１３でカメラ画像に対して縮小処理を行う。（ステップＳ３，Ｓ４）次に、縮小処理されたカメラ画像を映像処理部１４に入力し、映像処理部１４を介して液晶表示部３の表示画面中央部に表示縮小されたカメラ画像を表示すると共に、カメラ画像の周囲を白く塗りつぶして白色表示する。（ステップＳ５，Ｓ６）そしてこの状態で、ユーザーがシャッタボタン４を押下すると、液晶表示部３のバックライトを照明補助として撮影が行われる。【選択図】        図３
2004304517.tif 000002
【特許請求の範囲】
【請求項１】
カメラと、このカメラが設けられた筐体面と同一面に設けられた表示部とを備え、上記カメラにより撮像されたカメラ画像を上記表示部に表示するカメラ付き携帯機器において、照明ＯＮ指令に応じて上記表示部の表示画面中央部に上記カメラ画像を表示縮小すると共に、上記表示部のカメラ画像の周囲を白色表示するようにしたことを特徴とするカメラ付き携帯機器。
【請求項２】
照明ＯＮ指令を出すキー入力部と、上記照明ＯＮ指令に応じて上記カメラ画像の縮小処理を行うカメラ制御部と、上記縮小処理された画像信号を入力され、上記表示部の表示画面中央部に表示縮小されたカメラ画像を表示すると共に、該カメラ画像の周囲を白色表示する映像処理部とを備えたことを特徴とする請求項１記載のカメラ付き携帯機器。
【発明の詳細な説明】
【０００１】
【発明の属する技術分野】
この発明は、液晶表示部を備えたカメラ付き携帯機器に関するものである。
【０００２】
【従来の技術】
最近はカメラ付き携帯電話などのように、カメラと液晶表示部とを備え、カメラにより撮影されたカメラ画像を液晶表示部に表示する機能に加え、特許文献１に示されるように、暗い場所の撮影を行うために、本体にストロボ装置等を装備したカメラ付き携帯機器が現れている。
【０００３】
【特許文献１】
特開２００１−３２０６２２公報（段落［００１２］〜［００１５］及び図１）
【０００４】
【発明が解決しようとする課題】
このようなカメラ付き携帯機器では、暗い場所での撮影を行うためにはストロボ装置やライトなどを本体に装備しておく必要があったため、小型化や薄型化、コスト等各種の面で問題があった。
この発明は、上記のような問題に鑑み、照明用の特別な装備を必要とすることなく暗い場所での撮影が可能なカメラ付き携帯機器を提供することを目的とするものである。
【０００５】
【課題を解決するための手段】
この発明は、カメラと、このカメラが設けられた筐体面と同一面に設けられた表示部とを備え、上記カメラにより撮像されたカメラ画像を上記表示部に表示するカメラ付き携帯機器において、照明ＯＮ指令に応じて上記表示部の表示画面中央部に上記カメラ画像を表示縮小すると共に、上記表示部のカメラ画像の周囲を白色表示するようにしたものである。
【０００６】
【発明の実施の形態】
実施の形態１．
図１〜４によりこの発明の実施の形態１を説明する。
図１は実施の形態１のカメラ付き携帯機器の正面図を示すもので、カメラ付き携帯機器の筐体１の表面側上半部に、撮影レンズを含むカメラ２と、このカメラ２により撮像された画像を表示すると共に通信情報などを表示するバックライト付き液晶表示部３と、シャッタボタン４とを備えており、本体１の表面側下半部には、電話番号等を入力するキー入力部５や電源スイッチ６、各種の機能を実行するためのボタン群７が設けられている。また、無線通信を行うための送受信用アンテナ８のほか、送話器を構成するスピーカ９や受話器を構成するマイク１０が設けられている。
図２は実施の形態１のカメラ付き携帯機器のブロック構成図を示すもので、送受信用アンテナ８から受信した電波を制御する送受信部１１と、送受信部１１からの信号を受けて各種の通信制御等を行う制御部１２と、カメラ２により撮影されたカメラ画像に対し縮小処理を含む各種の制御・処理を行うカメラ制御部１３と、カメラ制御部１３からの画像信号を液晶表示部３に表示できるように処理する映像処理部１４を備え、液晶表示部３の表示画面中央部にカメラ画像を表示縮小すると共に、液晶表示部３のカメラ画像の周囲を白色表示する。
また、キー入力部５からの信号を処理し照明ＯＮ指令として制御部１２に出力するキー入力制御部１５と、各種の制御を実行するためのＲＯＭ１６、ＲＡＭ１７を備えている。
【０００７】
次に、実施の形態１のカメラ付き携帯機器の動作を図３および図４を用いて説明する。
例えば、いまカメラ２と同一面側に装着されている液晶表示部３を自分撮り用の画面として用いてカメラ撮影を行う場合、カメラ制御部１３をカメラモードに切替え、液晶表示部３の画面でプレビューを行う。（ステップＳ１，Ｓ２）
そして、プレビュー画像が暗く照明が必要な場合は、キー入力部５より照明ＯＮ指令を入力し、キー入力制御部１５を介して制御部１２よりカメラ制御部１３に出力画像を縮小するように命令を出し、カメラ制御部１３でカメラ画像に対して縮小処理を行う。（ステップＳ３，Ｓ４）
次に、縮小処理されたカメラ画像を映像処理部１４に入力し、映像処理部１４を介して液晶表示部３の表示画面中央部に表示縮小されたカメラ画像を表示すると共に、カメラ画像の周囲を白く塗りつぶして白色表示する。（ステップＳ５，Ｓ６）
そしてこの状態で、ユーザーがシャッタボタン４を押下すると、液晶表示部３のバックライトを照明補助として撮影が行われる。
このとき、撮影された画像はバックライトのＯＮ／ＯＦＦに関係なく同一のサイズで撮影される。
図４は実施の形態１の液晶表示部３における表示例を示すもので、同図（ａ）は照明ＯＦＦ時、同図（ｂ）は照明ＯＮ時の状態を示しており、例えば２／１の縮小画面で、５０ｃｍ離れたところで中心照度として１ルックス程度の明るさを得ることができる。
【０００８】
このように、従来のカメラ付き携帯機器では液晶表示部の画面全体にカメラ画像を表示するだけであったため、暗い場所での撮影時にはフラッシュやライトなどの照明が必要であったが、この実施の形態１では、カメラ画像を縮小しカメラ画像の周囲にスペースをつくり、空いたスペースを光の透過率の高い白色で塗りつぶして液晶表示部に表示することにより、液晶表示部のバックライトを照明の補助として用いることが可能となり、特に、暗い場所で自分撮りを行う場合などに有効である。
なお、この実施の形態では、表示部としてバックライト付き液晶表示部を用いた場合を示したが、これに限らずフロントライト付き液晶表示部でも良いし、液晶表示装置だけでなく、有機ＥＬ等の自発光型の表示装置を用いても良い。
【０００９】
【発明の効果】
以上のようにこの発明は、カメラと、このカメラが設けられた筐体面と同一面に設けられた表示部とを備え、上記カメラにより撮像されたカメラ画像を上記表示部に表示するカメラ付き携帯機器において、照明ＯＮ指令に応じて上記表示部の表示画面中央部に上記カメラ画像を表示縮小すると共に、上記表示部のカメラ画像の周囲を白色表示するようにしたものであるので、暗い場所でのカメラ撮影時に表示部を照明補助として用いることができ、携帯機器本体に照明用の特別の装備を設ける必要がなく、その結果、小型化、薄型化、コストダウンが可能となる。
【図面の簡単な説明】
【図１】この発明の実施の形態１を示す平面図である。
【図２】実施の形態１のブロック構成図である。
【図３】実施の形態１の動作を説明するためのフローチャートである。
【図４】実施の形態１における画像の表示例である。
【符号の説明】
１  筐体、２  カメラ、３  液晶表示部、４  シャッタボタン、
５  キー入力部、６  電源スイッチ、７  ボタン群、８  送受信用アンテナ、
９  スピーカ、１０  マイク、１１  送受信部、１２  制御部、
１３  カメラ制御部、１４  映像処理部、１５  キー入力制御部、
１６  ＲＯＭ、１７  ＲＡＭ
【図１】
2004304517.tif 000003
【図２】
2004304517.tif 000004
【図３】
2004304517.tif 000005
【図４】
2004304517.tif 000006